(57)【要約】      （修正有）【課題】糞の回収が容易で、回収具の洗浄も容易な愛玩動物用糞回収具を提供する。【解決手段】一端が閉鎖され他端が開口された筒状のキャップ１と、前記キャップに装着可能な糞受け収容本体２とから成り、前記糞受け収容本体は、一端が閉鎖され他端が開口されたグリップ部３と、先端が先細になる幅広のスコップ形状を有する糞受け部４とを備え、前記グリップ部の内部に糞収容部を有する。さらに、前記糞受け部が可撓性であり、前記糞受け収容本体の糞受け部を前記キャップに挿入する時に、糞受け部の側縁がキャップの開口端縁に当接し、糞受け部の側縁がキャップの開口端縁に案内されて糞受け部が筒状に変形してキャップの内部に収容され、糞受け収容本体をキャップから外すと前記糞受け部がキャップから解放されて幅広のスコップ形状に復元する。【選択図】図１
0003173353.tif 000002
【実用新案登録請求の範囲】
【請求項１】
一端が閉鎖され他端が開口された筒状のキャップと、
前記キャップに装着可能な糞受け収容本体と
から成り、
前記糞受け収容本体が、
一端が閉鎖され他端が開口されたグリップ部と、
前記グリップ部の開口部に一体的に形成され、先端が先細になる幅広のスコップ形状を有する糞受け部と
を備え、
前記グリップ部の内部に、前記開口部と繋がる糞収容部が形成され、
前記糞受け部が可撓性であり、
前記糞受け収容本体の糞受け部を前記キャップに挿入する時に、糞受け部の側縁がキャップの開口端縁に当接し、糞受け部の側縁がキャップの開口端縁に案内されて糞受け部が筒状に変形してキャップの内部に収容され、
糞受け収容本体をキャップから外すと前記糞受け部がキャップから解放されて幅広のスコップ形状に復元する
ように構成されていることを特徴とする愛玩動物用糞回収具。
【請求項２】
前記糞受け収容本体が、前記キャップに密閉的に装着されるように構成されている
ことを特徴とする請求項１に記載の愛玩動物用糞回収具。
【請求項３】
前記糞受け収容本体が、前記キャップにネジ係合することにより装着されるように構成されている
ことを特徴とする請求項１又は２に記載の愛玩動物用糞回収具。
【請求項４】
前記糞受け収容本体が、前記キャップにスナップ係合することにより装着されるように構成されている
ことを特徴とする請求項１又は２に記載の愛玩動物用糞回収具。
【請求項５】
前記糞受け収容本体が、その閉鎖部側に水収容室を備え、かつ、該水収容室に水を補充し、かつ、水収容部から水を放水する水用出入口を備えている
ことを特徴とする請求項１〜４の何れか一項に記載の愛玩動物用糞回収具。
【請求項６】
前記糞受け収容本体におけるグリップ部の外面に転がり防止用の突起部が形成されている
ことを特徴とする請求項１〜５の何れか一項に記載の愛玩動物用糞回収具。
【考案の詳細な説明】
【技術分野】
【０００１】
本考案は、犬等の愛玩動物が排泄する糞を回収する回収具に関する。
【背景技術】
【０００２】
従来から犬等を愛玩動物として飼育することが行われている。犬等を散歩させる場合、屋外で犬等が排泄した糞を持ち帰って廃棄することは飼い主の義務である。
このため、糞を回収するためのスコップとビニール袋を携帯して散歩をする飼い主は多い。
しかし、このスコップとビニール袋を使って、路面や地面に排泄された糞を回収するという作業は、両手を使わなければならないので犬等のリードを持ったまま行うことが困難であるという問題があり、この問題に着目して、路面や地面に排泄された犬等の糞を簡単に回収することができる回収具が提案されている。
【０００３】
特許文献１に記載の回収具は、二つの半筒状体をバネによって開閉自在に連結して成り、バネ力に抗して二つの半筒状体を開いた状態で路面や地面に排泄された糞に被せ、その後、バネ力によって二つの半筒状体を閉じることで、二つの半筒状体の内部に糞を回収するように構成されている。
実用新案登録文献２に記載の回収具は、一端が連結された一対の操作片を有し、一方の操作片の先端に汚物を押送可能な送り面を有する送り部を設け、他方の操作片の先端に送り部によって送り込まれた汚物を回収する回収部を設けて成り、路面や地面に排泄された糞を前記送り部を用いて回収部に押送することにより、糞を回収部に回収するように構成されている。
【先行技術文献】
【特許文献】
【０００４】
【特許文献１】特開2007-97484号公報
【特許文献２】特開2003-274783号公報
【考案の概要】
【考案が解決しようとする課題】
【０００５】
上記した特許文献１及び２に記載の回収具は、何れも、路面や地面に排泄された糞を片手で回収することができるので便利な道具である。
しかし、上記した特許文献１及び２に記載の回収具に限らず、従来提案されている汚物回収具は何れも、路面や地面に排泄された後の糞を回収することを目的として構成されているため、構造が複雑であるという問題がある。
例えば、特許文献１に記載の回収具はバネが壊れてしまったり、バネ力が弱まってきてしまったりすると使えなくなり、また、特許文献２に記載の回収具は操作片の連結部が壊れると使えなくなる。
また、これらの回収具は、回収具に糞が付着しないようにビニール袋を使用する等、様々な工夫が凝らされているが、使用時に糞が回収具に付着することを完全に防止することは困難である。このため、これらの回収具は使用後に洗浄する必要があるが、構造が複雑であると洗浄が面倒であり、場合によっては、付着した糞を完全に取り除くことが困難になる。特に、特許文献１のようにバネを使った回収具はバネに糞が付着してしまうと洗浄が極めて困難になるという問題がある。
そしてなにより、従来の糞回収具は、路面や地面に排泄された後の糞を回収するという機能に重点を置いて開発されており、外観については考慮されていないので、外観が悪いという問題がある。
近年、犬等の愛玩動物は、飼い主に家族同様に扱われ、愛玩動物に綺麗な洋服を着させる飼い主も多い。このような愛玩動物の飼い方の変化に伴い、例えば、首輪やリードも外観の良いものが販売されるようになってきている。
しかし、折角、愛玩動物に綺麗な洋服を着せて、外観のよい首輪やリードを付け、飼い主も御洒落な格好をして散歩をしようとしても、外観の悪い汚物回収具を持ち歩いていたのでは全て台無しになってしまう。
考案者等は、上記した従来の問題点に鑑みて、路面や地面に排泄された後の愛玩動物の糞を回収するのではなく、路面や地面に排泄される前に糞を回収するという、従来の回収具とは異なる着眼点で回収具の開発を行い、構造が簡単で、外観がよく、しかも、糞の回収が容易で、回収具の洗浄も容易な愛玩動物用糞回収具を考案するに至った。
【課題を解決するための手段】
【０００６】
本考案に係る愛玩動物用汚物回収具は、一端が閉鎖され他端が開口された筒状のキャップと、前記キャップに装着可能な糞受け収容本体とから成り、前記糞受け収容本体が、一端が閉鎖され他端が開口されたグリップ部と、前記グリップ部の開口部に一体的に形成され、先端が先細になる幅広のスコップ形状を有する糞受け部とを備え、前記グリップ部の内部に、前記開口部と繋がる糞収容部が形成され、前記糞受け部が可撓性であり、前記糞受け収容本体の糞受け部を前記キャップに挿入する時に、糞受け部の側縁がキャップの開口端縁に当接し、糞受け部の側縁がキャップの開口端縁に案内されて糞受け部が筒状に変形してキャップの内部に収容され、糞受け収容本体をキャップから外すと前記糞受け部がキャップから解放されて幅広のスコップ形状に復元するように構成されていることを特徴とする。
前記糞受け収容本体は、前記キャップに密閉的に装着されるように構成され得る。
また、前記糞受け収容本体は、前記キャップにネジ係合又はスナップ係合によって装着されるように構成され得る。ここで、スナップ係合とは、例えば、糞受け収容本体と前記キャップとにそれぞれ、形状が合致する凹部又は凸部を設け、糞受け収容本体又は前記キャップの何れかが変形することにより、凸部が凹部に嵌り込むことにより両者が係合する構造を言う。
好ましくは、前記糞受け収容本体の内部には、糞収容部の他に、その閉鎖部側に水収容室が設けられ得る。この場合、前記糞受け収容本体には、前記水収容室に水を補充し、かつ、水収容部から水を放水する水用出入口が設けられ得る。
また、前記糞受け収容本体におけるグリップ部の外面には、必要に応じて、転がり防止用の突起部が形成され得る。
【考案の効果】
【０００７】
本考案に係る愛玩動物用汚物回収具は、一端が閉鎖され他端が開口された筒状のキャップと、前記キャップに装着可能な糞受け収容本体とから成り、前記糞受け収容本体が、一端が閉鎖され他端が開口されたグリップ部と、前記グリップ部の開口部に一体的に形成され、先端が先細になる幅広のスコップ形状を有する糞受け部とを備え、前記グリップ部の内部に、前記開口部と繋がる糞収容部が形成され、前記糞受け部が可撓性であり、前記糞受け収容本体の糞受け部を前記キャップに挿入する時に、糞受け部の側縁がキャップの開口端縁に当接し、糞受け部の側縁がキャップの開口端縁に案内されて糞受け部が筒状に変形してキャップの内部に収容され、糞受け収容本体をキャップから外すと前記糞受け部がキャップから解放されて幅広のスコップ形状に復元するように構成されているので、糞受け収容本体をキャップに装着した時に、糞受け部が完全に隠れて、水筒のような筒状の外観になる。このため、グリップ部及びキャップの外面に適当なデザインを施したり、外面を適当な色で着色したりすることにより、外観のよい愛玩動物用糞回収具が提供され得る。また、使用時には、糞受け収容本体をキャップから引き出せば、糞受け部がキャップから解放された幅広のスコップ状の形状に復元するため、犬等の愛玩動物が排泄予備動作をした時に、犬等の後足の間に前記糞受け部を差し込むことによって犬等の愛玩動物が排泄した糞を地面や路面に落とさずに直接確実に糞受け部で受けることが可能になる。さらにまた、愛玩動物の排泄予備動作に気付かずに、愛玩動物が地面や路面に糞をしてしまった場合でも、糞受け部を通常のスコップとして使用することができるため、糞受け部で糞をすくい上げることができる。そして、糞受け部で受けた（又はすくい上げた）糞は、糞受け収容本体を少し傾けることで、糞受け部からグリップ部の糞収容部に流れ込んで収容されるため糞の回収を片手で行うことが可能になる。糞を回収した後に、糞受け収容本体にキャップを装着すれば、糞受け部が完全に隠れるため外観上の問題はない。
また、糞受け収容本体を前記キャップに密閉的に装着できるように構成することで、臭いが外部に漏れることはない。
糞受け収容本体に前記キャップを装着した時に、キャップを保持する構成は任意の構成でよく、例えば、ネジ係合又はスナップ係合が用いられる。
さらにまた、糞受け収容本体に、水収容室を設けることにより、飼い主は、尿を洗い流すための水筒を別途持ち歩く必要がなくなる。
【図面の簡単な説明】
【０００８】
【図１】本考案に係る愛玩動物用糞回収具のキャップと糞受け収容本体とを示す概略斜視図である。
【図２】（ａ）〜（ｅ）は糞受け収容本体をキャップに装着する過程を示す図である。
【考案を実施するための形態】
【０００９】
図１は、本考案に係る愛玩動物用糞回収具のキャップと糞受け収容本体とを示す概略斜視図である。
図中符号１はキャップを、符号２は糞受け収容本体を各々示している。
キャップ１は、一端が閉鎖され他端が開口された筒状の形状である。
糞受け収容本体２は、一端が閉鎖され他端が開口された筒状のグリップ部３と、前記グリップ部３の開口端に一体的に形成された糞受け部４とから成る。
糞受け部４は、図面に示すように、基部が幅広で先端に向かうにつれて細くなるスコップ形の形状に形成されている。該糞受け部４の長さは、前記キャップ１の長さより短い。
前記糞受け収容本体２の糞受け部４は、可撓性材料で形成され、その両側部がキャップ１の形状に合わせて弾性的に筒状に変形な厚さで形成される。
また、前記糞受け収容本体２のグリップ部３の内部には、糞収容部５及び水収容室６が形成されている。
糞収容部５は、グリップ部３における開口部側に形成され、糞受け部４で受けた糞をそのまま流しこんで収容することができるように構成されている。
水収容室６は、グリップ部３における閉鎖部側に形成され、前記糞収容部５とは完全に区画されている。グリップ部３における閉鎖部はネジ式の蓋部材７を備え、該蓋部材７を取り外すことで、水収容室６に水の補充をしたり、水収容室６から水を放水したりすることができるように構成されている。
従来、犬等を散歩する飼い主は、犬等の糞を処理するためのスコップ及びビニール袋に加えて、犬等の尿を流すための水を持って散歩をする必要があったが、前記したように、糞回収具に水収容室６を設けることにより、糞回収具のみを持って散歩に出かけることが可能になる。
上記したように構成された糞受け収容本体２のグリップ部３の開口部側の外面には雄ネジ部８が形成されており、さらに、雄ネジ部８の後方にはシール用のＯリング９が設けられている。また、キャップ１の開口部の内面には、前記雄ネジ部８に対応する雌ネジ部１０が形成されており、糞受け収容本体２をキャップ１に装着した時に、前記雄ネジ部８、雌ネジ部１０及びＯリング９によって糞受け収容本体２はキャップ１に密閉的にネジ係合される。
尚、図１中、符号１１が糞受け収容本体２の外面に形成された転がり防止用の突起であり、符号１２は、キャップ１の頂部に形成されたフックである。使用者に必要に応じてフック１２に紐やチェーン等を取り付けることにより、該糞回収具を吊り下げて持ち歩くことが可能になる。
【００１０】
以下、図２を参照しながら、糞受け収容本体２をキャップ１に装着する過程について説明する。
図２（ａ）は、糞受け収容本体２をキャップ１から取り外した状態を示している。
糞受け収容本体２を、その糞受け部４からキャップ１に挿入すると、糞受け部４は、先細にされた先端からキャップ１の内部に入り込み、糞受け部４の前部側縁がキャップ１の開口端縁に当接する（図２（ｂ）参照）。
その状態からさらに糞受け収容本体２をキャップ１に押し込むと、糞受け部４の前部が先細になるように形成されているので、糞受け部４の前部側縁がキャップ１の開口端縁に案内されて、糞受け部４が筒状に変形しながらキャップ１の内部に入り（図２（ｃ）及び（ｄ）参照）、最終的に糞受け部４がキャップ１の内部に完全に入り込むことになる（図２（ｅ）参照）。
糞受け部４がキャップ１の内部に入り込んだ状態で、糞受け収容本体２の雄ネジ部８をキャップ１の雌ネジ部１０に螺合させることにより、前記雄ネジ部８、雌ネジ部１０及びＯリング９によって糞受け収容本体２はキャップ１に密閉的にネジ係合される。
【００１１】
上記したように、本実施例に係る愛玩動物用糞回収具は、携帯時には、糞受け収容本体２をキャップ１に装着することにより、糞受け部４が完全にキャップ１の内部に入り込んで、外観には筒状のグリップ部３と筒状のキャップ１のみが現れ、全体として、筒状の水筒のような外観になる（図２（ｅ）参照）。
このため、グリップ部３及びキャップ１の外面に適当なデザインを施したり、外面を適当な色で着色したりすることにより、外観のよい愛玩動物用糞回収具が提供され得る。
また、使用時には、糞受け収容本体２をキャップ１から引き出せば、糞受け部４がキャップ１から解放された幅広のスコップ状の形状に復元するため、犬等の愛玩動物が排泄予備動作をした時に、犬等の後足の間に前記糞受け部４を差し込むことによって犬等の愛玩動物が排泄した糞を地面や路面に落とさずに直接確実に糞受け部４で受けることが可能になる。
【００１２】
本実施例に示した糞受け部４の形状は単なる一例であり、使用時に糞を受けることができるように幅広な形状に広がり、キャップ１に収容する時には、キャップ１の開口縁部に案内された筒状に変形し得るような形状であれば任意の形状でよい。
また、グリップ部、糞受け部及びキャップの寸法及び比率は本実施例に限定されることなく、糞受け部がキャップに完全に収容できるように寸法決めされていれば任意の大きさでよく、全体の大きさは使用する犬等の愛玩動物の大きさに応じて適宜変更され得る。
さらに、本実施例では、グリップ部及びキャップの外観形状が円筒状であるが、グリップ部及びキャップの外観形状は本実施例に限定されることなく任意の形状でよい。
上記した実施例では、糞受け収容本体とキャップとがネジ係合されるように構成されているが、この構成は本実施例に限定されることなく、糞受け収容本体がキャップに密閉的に係合されるように構成されていれば任意の構成でよく、例えば、スナップ係合によって両者が係合するように構成してもよい。
【符号の説明】
【００１３】
１  キャップ
２  糞受け収容本体
３  グリップ部
４  糞受け部
５  糞収容部
６  水収容部
７  蓋部材
８  雄ネジ部
９  Ｏリング
１０  雌ネジ部
１１  転がり防止用突起
１２  フック
【図１】
0003173353.tif 000003
【図２】
0003173353.tif 000004